(57)【要約】【課題】  システムキッチンや、通常のキッチンで乾燥食材の簡単便利な収納コンテナーが設置してあるキャビネットが見当たらなかった。つまり、ヒンジの出っ張りが邪魔をしていて、無駄な隙間が有り、清潔感と高級感が乏しかった。また、キャビネットの内部の色はキャビネットの外側の色と同色が多いが、これではカラフルなキャビネットを要求するユーザーのニーズに応えられない。【解決手段】  キャビネット内側にマウンティングプレートを備えたヒンジ３を取り付けたキャビネット構造において、ヒンジ３の取り付けられた側板２に、当該ヒンジ３と同等の厚みで当該ヒンジ３部を切り欠いた内張り板４を張り付ける。また、キャビネットの内部に後張りで、カラフルな内張りパネルを取り付けることで、工場コストも上がらずに、ユーザーのニーズに応えられるし、システムキッチン全体が高級感になる。【選択図】  図１
2008206930.tif 000002
【特許請求の範囲】
【請求項１】
扉を開閉自在とするため、キャビネット内側にマウンティングプレートを備えたヒンジを取り付けたキャビネット構造において、
ヒンジの取り付けられた側板に、当該ヒンジと同等の厚みで当該ヒンジ部を切り欠いた内張り板を張り付けることを特徴とするキャビネット構造。
【請求項２】
キャビネット内部に、マス目状の枠体と、当該枠体に嵌め込む収納容器とを備えたことを特徴とする請求項１記載のキャビネット構造。
【請求項３】
キャビネット内側に彩色を施した内張り板を嵌め込むことを特徴とするキャビネット構造。
【請求項４】
内張り板は、異なる彩色パネルを組み合わせたことを特徴とする請求項３記載のキャビネット構造。
【請求項５】
異なる彩色パネルを組み合わせた扉板又は異なる部材を嵌め込んだ扉板を備えたことを特徴とするキャビネット構造。
【請求項６】
厚みの異なる色彩パネル又は部材を用いて扉板の表面を凹凸に扉板の裏面を平滑にしたことを特徴とする請求項５記載のキャビネット構造。
【請求項７】
厚みの均一な色彩パネル又は部材を用いて扉板の表面及び裏面を平滑にしたことを特徴とする請求項５記載のキャビネット構造。
【発明の詳細な説明】
【技術分野】
【０００１】
本発明は、システムキッチン等のキャビネット（箱体）の内部構造に関するものである。
【背景技術】
【０００２】
キャビネット内部には扉用の兆番（ヒンジ）が必ず付くが、その装置の性質上マウンティングプレートとヒンジとが一体になって、内側に出っ張り、大変邪魔になる。その分だけ物が入らないので隙間がデッドスペースになり引き出し類や棚板を設置しようにも塵や埃たまりになり上手く機能しなかった。
また、キャビネット内部のカラーバリエーションもコストが上がり、実現が出来ていない状態であった。
なお、キャビネット（収納部）の内部構造に関する先行文献としては、以下に示す特許文献１等がある。
【特許文献１】実用新案登録第３０９４４１７号公報
【発明の開示】
【発明が解決しようとする課題】
【０００３】
現在、キャビネットにヒンジを付ければ内部に出っ張りが出来て邪魔で有ってもなすすべがなく、粉や、豆、花カツオ、などしまっておく場所が無いし、使用頻度が有りながら整理整頓が出来ていない状態である。
また、内部はキャビネット（箱体）製作上、板材の両面に前もって、仕上げシートを貼るが、外側と内側を異なった色にするには大変な費用がかかるため、外側と内側は同色にならざるを得ない。しかし、扉材などのカラーや素材を内側にすることは高級感が増すので、要望が有る。本願発明によれば、希望する分だけを施工後に容易に嵌め込む事が可能になり、経費も格段と安くなる。
【課題を解決するための手段】
【０００４】
上記課題を解決するために、本願発明の第１の発明は、扉を開閉自在とするため、キャビネット内側にマウンティングプレートを備えたヒンジを取り付けたキャビネット構造において、ヒンジの取り付けられた側板に、当該ヒンジと同等の厚みで当該ヒンジ部を切り欠いた内張り板を張り付けることを特徴とするものである。
第２の発明は、キャビネット内部に、マス目状の枠体と、当該枠体に嵌め込む収納容器とを備えたことを特徴とするものである。
第３の発明は、キャビネット内側に彩色を施した内張り板を嵌め込むことを特徴とするものである。
第４の発明は、内張り板が、異なる彩色パネルを組み合わせたことを特徴とするものである。
第５の発明は、異なる彩色パネルを組み合わせた扉板又は異なる部材を嵌め込んだ扉板を備えたことを特徴とするものである。
第６の発明は、厚みの異なる色彩パネル又は部材を用いて扉板の表面を凹凸に扉板の裏面を平滑にしたことを特徴とするものである。
第７の発明は、厚みの均一な色彩パネル又は部材を用いて扉板の表面及び裏面を平滑にしたことを特徴とするものである。
【発明の効果】
【０００５】
上記発明によれば、以下のような効果を有する。
（１）食器類の収納と違い、生物は冷蔵庫に収納するが、乾燥している食材は多種類有る。うどん粉、てんぷら粉、パン粉、豆類、出し類それぞれ調理するためには必要である。使いかけのものも捨てられず保存するが、出し入れ簡単な収納容器が必要になっている。このような清潔感と便利さを追求したキャビネット構造である。すなわち、本願発明はキャビネット内部に兆番（ヒンジの出っ張り）側の空間がデッドスペースになっていて有効利用できない状態を逆に、その隙間を上手に埋めた上生活に必要な食材などの、開封後の袋状態そのままを収納する引き出しを隙間無く設置したりして便利なキャビネットに改良でき、しかも清潔感もある。
（２）また、この収納容器（コンテナー）に調味料の小瓶類を沢山入れることも可能であり、ベースキャビネットに取り付けても良い。
（３）キャビネット内部に彩色したパネルを嵌めこむ事によりインテリア効果と、高級感が増すキャビネット構造である。すなわち、キャビネット内部に背板、側板、上板、底板、と彩色した板を嵌め込む事により、一層インテリア効果が増す。さらに、その板を切断して好みの彩色をすれば、大変オリジナリティーが増し効果倍増する。
（４）キャビネットの扉板を多種類の彩色したパネルを組み合わせて、一枚の扉板に加工することにより、様々な模様が作れる。
（５）また、パネルの厚みを均一にした加工も可能だが、一部のパネルの厚みを厚くして扉板に加工する場合、扉の表側に凸型を出して加工すると、扉表面には立体感が出来て、模様のアクセントが強烈に表現できる。同様に、扉板に様々な形の部材を嵌めこむことにより、扉の模様を強烈に表現できる。
【発明を実施するための最良の形態】
【０００６】
図１のＡは従来のキャビネットの内部を表す。１はキャビネットの底板、２はキャビネットの側板、２の側板に３のマウンティングプレートを備えたヒンジが取り付けてあり、扉５が開閉自在となっている。
Ｂは従来のキャビネットＡに４の内張り板を取り付けてある、この板はヒンジ３の厚みに調整したもので、ヒンジ３の部分を欠き込んである。この為ヒンジ３の出っ張り部分の隙間が無くなり、埃たまりも無くなる上、Ｃの食材収納用整理引き出しを設置することが出来る。
【０００７】
図２の４−１はヒンジ３側に取り付けるパネルの平面図でありヒンジ３が当たる部分をカットしてある。４−２は４−１のパネルの小口面を表しており、ヒンジ３の出っ張りをカバーする厚みにする。Ｂ−４−１は４−１のパネルをヒンジ３側のキャビネットに張り付けた、キャビネットの横断面図である、Ｂ−４−２はキャビネットに４−１を張り付けた正面図の一部分をあらわしている。
【０００８】
図３のＣ−１は図１のＣの説明図で、Ｃ−１は収納容器（コンテナー）の枠体の正面図、Ｃ−２は側面の断面図、Ｃ−１−１はＣ−１の枠体にコンテナーを差し込んだ正面図である、Ｃ−１−２はその側面の断面図である。Ｃ−３−１はコンテナーの単体の正面図、Ｃ−３−２は側面の断面図である。
なお、コンテナーはキャビネットの奥までの長さを有して、引き出して使う。出し入れにはレールなどの仕掛けは使わずに本体だけとその枠体だけにすることにした。その分余計な空間が無くなり、コンテナーの容積が増えるからである。
【０００９】
図４のＡは従来のキャビネットの扉を開いたところの部分図である。
扉とヒンジがキャビネットの側板に取り付けてあるが、キャビネットの内部にマウンティングプレートとヒンジが出っ張っている。Ｄはキャビネット内部に内張りパネルＥを取り付けた正面図で、右端にヒンジの部分を表している。
【００１０】
図５は内張りパネルの説明を展開図にして表したものである。Ｅ−０は内張りだけをセットして正面から見た図である。Ｅ−４は左側の平面図、Ｅ−３はヒンジ側のパネルの平面図で、ヒンジの部分を切り欠いてある。Ｅ−５は上板、Ｅ−２は底板、Ｅ−１は背板である。
【００１１】
図６は一つのキャビネット内部を多色の彩色にすることも可能であることを示す事例として、図で解説する。Ｆ−０は内張りパネルを横へ３個に切断して、違った彩色パネルを張り合わせた組み立てた正面図、Ｆ−４は同左側平面図、Ｆ−３は同ヒンジ側平面図である。Ｇ−０は内張りパネルの切断方法を変えた正面図、Ｇ−４は同左側平面図、Ｇ−３は同ヒンジ側側面図である。
【００１２】
乾燥食材類をキャビネット内に収納する収納容器（コンテナー）の取り付け構造について説明する。
図１のＡのキャビネット内部をＣのコンテナーのように配置するためには、図２の４−１のヒンジ側パネルを取り付けて図３の収納コンテナーを取り付ける。図１のＣのようにコンテナーの正面に食材の表示をすると間誤付かず便利な使用方法である。
【００１３】
キャビネット内部の彩色パネルは、図５のＥ−０に説明しているように取り付けるが、Ｅ−１背板、Ｅ−２底板、Ｅ−３ヒンジ側の板、Ｅ−４左側板、Ｅ−５天板の順番に張り付けると良い。取り付け方法はビスで固定すると安全である、Ｅ−４、Ｅ−３に描きこんである丸い小さな穴は棚板用のダボ穴を表す。キャビネット内に必要な棚板を設置するためにパネルにダボ穴は前もってあけて置く。
【００１４】
図７は、キャビネットの扉板を多種類の彩色したパネル（Ｈ）（Ｉ）（Ｊ）を組み合わせて、一枚の扉板に加工した正面図（上図）・裏面図（下図）である。彩色パネルを組み合わせることにより、様々な模様が作れる。
図８は、図７の断面図である。彩色パネルの厚みを均一にした加工も可能だが、一部の彩色パネルの厚みを厚くして扉板に加工する場合、扉の表側に凸型を出して加工すると扉表面には立体感が出来て、模様のアクセントが強烈に表現できる。なお、この際扉はキャビネットの蓋であるから、扉の裏面は平滑（共同面）でなければならない。彩色パネル（Ｈ）と同（Ｊ）の厚さは同じで、同（Ｉ）は同（Ｈ）及び同（Ｊ）より、その厚さが厚い。
【００１５】
図９は、扉板に様々な形の部材を嵌め込むことにより、扉の模様を強烈に表現できる例の説明図であり、扉板（Ｋ）に（Ｌ）（Ｍ）（Ｎ）の部材を嵌めこんだ平面図（上図）・裏面図（下図）である。また、図１０は図９の断面図である。
【００１６】
以上のようなキャビネット（箱体）構造であれば、
（１）従来側面にはヒンジが出っ張っているため、キャビネットの中の利用価値を低減させていたが、ヒンジ側の側面の使用方法を考慮したうえで内部の利用方法と利用価値を上げる装置となった。すなわち、整理収納キャビネットとして、いくつも重ねた収納ケースをキャビネット内に入れ込む、例として、てんぷら粉、パン粉、うどん粉、豆類、花カツオ、カレー、さまざまなレトルト食品を使いかけの袋のまま、引き出しに入れて整理出来る。これによって、キャビネットの側面にヒンジがついているため空間が使えないばかりか、埃り溜まりになり不潔に感じるし、掃除もしずらいし、見た目も宜しくない状況を簡単に克服できる。
（２）キャビネットの内側に彩色を施した板材を嵌めこむことで（この板材を分割した物に彩色を施すことも可能である）、キャビネットに付けた扉が内部が透けて見えるガラス扉などであれば、キャビネット内部の彩色が見えるため、インテリア効果が格段と増す。
（３）扉板にも異なる彩色を施した彩色パネルを組み合わせたり、嵌め込んだりすることを特徴とするこの構造・方式を使えば、塗装仕上げ、メラミン貼り仕上げ、木材突き板仕上げを問わず、扉の模様を簡単に容易にまた安価な製作費で加工できることが特徴といえる。
【産業上の利用可能性】
【００１７】
各メーカーの製品を見渡しても、乾燥食材の便利な食材コンテナーと調味料の簡単な収納コンテナーが無い現状である。また、あっても本願発明のような便利なコンテナーとキャビネット内のヒンジの無駄な空間処理は見当たらない。
キャビネット内部の彩色を部材を張り付ける方法はコスト面でも安価に出来るし、ファッション性が高まるので、ユーザーに対して大いにアピールできる装置である。
キャビネットの扉板として従来にはない個性的なインパクトある商品として利用される。
【図面の簡単な説明】
【００１８】
【図１】従来のキャビネットにヒンジが付いている、ヒンジの出っ張りを内部調整パネル４で無駄な隙間を埋めてコンテナーを設置した説明図。
【図２】ヒンジ側に隙間調整パネルを取り付けた説明図。
【図３】食材コンテナーの一例を表している説明図。
【図４】キャビネット内部に彩色したパネルをはりつける説明図。
【図５】パネルの説明図であり、各パネルを展開して、数字は設置する順番を表している。
【図６】キャビネット内部の彩色を多種類にすることが可能なので事例を挙げて２種類ほど説明した説明図。
【図７】キャビネットの扉板を多種類の彩色パネルを組み合わせて、一枚の扉板に加工した正面図・裏面図。
【図８】図７の縦断面図。
【図９】様々な形の部材を嵌め込んだ扉板の正面図・裏面図である。
【図１０】図９の縦断面図。
【符号の説明】
【００１９】
Ａ  従来のキャビネットであり、扉に付いたヒンジとキャビネット内に取り付けてあるマウンティングプレートと、この部分が内部に出っ張っている様子を示したもの。
Ｂ  ヒンジの出っ張りを調整パネルでふさぎ、無駄な隙間が無い状態を示したもの。
Ｃ  食材コンテナーをキャビネットに取り付けた状態を示したもの。
１  キャビネット底板
２  キャビネットヒンジ側、側板
３  マウンティングプレートとヒンジを取り付けられた部分
４  ヒンジの出っ張りをカバーする内張りパネル。
４−１  ヒンジ側の内張りの平面図
４−２  ヒンジ側の内張りの小口面
Ｂ−４−１  ヒンジ側に4−1を貼ったキャビネットの横断面図
Ｂ−４−２  ヒンジ側に4−1を貼ったキャビネットの正面図の一部
Ｃ−１  コンテナーの枠正面図
Ｃ−２  コンテナーの枠横断面図
Ｃ−１−１  枠体にコンテナーを差し込んだ正面図
Ｃ−１−２  枠体にコンテナーを差し込んだ横断面図
Ｃ−３−１  コンテナーの単体の正面図
Ｃ−３−２  コンテナー単体の横断面図
Ｄ  彩色した内張りパネルをキャビネットに設置した正面図
Ｅ  彩色した内張りパネル
Ｅ−０  彩色した内張りパネルの正面図
Ｅ−１  背板
Ｅ−２  底板
Ｅ−３  ヒンジ側パネル
Ｅ−４  側板
Ｅ−５  上板
Ｆ−０  ３枚にカットして違う彩色したパネルをセットした図
Ｆ−３  ヒンジ側のパネル
Ｆ−４  側板
Ｇ−０  切り方を変えて、セットした例、
Ｇ−３  ヒンジ側パネル
Ｇ−４  側板
Ｈ、Ｉ、Ｊ  扉板用彩色パネル
Ｋ  扉板
Ｌ、Ｍ、Ｎ  嵌め込み用部材
【図１】
2008206930.tif 000003
【図２】
2008206930.tif 000004
【図３】
2008206930.tif 000005
【図４】
2008206930.tif 000006
【図５】
2008206930.tif 000007
【図６】
2008206930.tif 000008
【図７】
2008206930.tif 000009
【図８】
2008206930.tif 000010
【図９】
2008206930.tif 000011
【図１０】
2008206930.tif 000012